(57)【特許請求の範囲】
【請求項１】
傾斜する屋根の先端から離れた外壁の上端部から立ち上がって鉛直に設けられたパラペットと前記屋根との交差部に、樋を設置する樋の設置構造であって、
前記交差部であって前記屋根の先端と前記外壁の間の隙間の上には、予め横断面略コ字状に形成された樋がその開口を上方に向けて設けられ、
この樋の屋根側における縁部と、前記屋根の上面との間には、屋根の上面に降った雨水を樋に流す流し板が、樋側に向けて下方に傾斜して設けられ、
前記流し板の基端部は、屋根の屋根材の裏面側に挿入され、
前記流し板の先端部には、樋の開口縁部から下方に向けて垂下する水切り部が形成され、
前記パラペットの内側の表面には、樋の開口縁部まで延出する水切りが固定され、
前記パラペットの上端に笠木が取り付けられ、
前記パラペット側における前記水切りの端部が前記笠木の内側に挿入され、反対側の端部が前記樋の開口縁部まで延出され、
前記パラペットと前記屋根との交差部には、支持金具が前記樋の長手方向に所定間隔をおいて配置され、前記支持金具の一端部はパラペットに固定され、前記支持金具の他端部は屋根の上面に固定され、該支持金具によって前記樋が下方から支持され、
前記流し板が前記支持金具の他端部を上から覆っていることを特徴とする樋の設置構造。
【請求項２】
請求項１に記載の樋の設置構造において、
前記屋根の先端と前記外壁の間の隙間の上には、前記屋根の先端部上面から前記樋の下方を通って前記パラペットの内側の表面に至る不燃材が設けられていることを特徴とする樋の設置構造。
【発明の詳細な説明】
【０００１】
【発明の属する技術分野】
本発明は、鉛直に設けられたパラペットと傾斜する屋根との交差部に、樋を設置する樋の設置構造に関するものである。
【０００２】
【背景の技術】
一般の住宅の屋根は、例えば、切妻や寄棟等の形状を有し、屋根の軒先が住宅の外壁よりも外側にでるように構成されており、該屋根の軒先に樋が取付けられている。従って、例えば、住宅が隣との境に近接して建てられる場合には、軒先と樋が隣との境の内側に納まるように、屋根の形状を変更したり、軒の出の長さを調整する必要がある。
【０００３】
そこで、住宅等の建物において、切妻屋根等の傾斜する屋根の軒先側において、外壁からパラペットを立ち上げ、このパラペットの内側において屋根の軒先を納めているものがある。このような建物では、屋根の軒先が外壁より外側に出ることがないので、住宅が隣との境に近接して建てられる場合に、屋根の軒の出を気にする必要がなく、また、屋根の軒先がパラペットによって隠れるので、独自のデザインとすることができる。
【０００４】
ところで、上記のような住宅においては、前記パラペットと屋根の軒先との交差部に屋根に降った雨水が流入するので、この交差部に樋を設けて該雨水を樋を通じて排出する必要がある。この交差部に、屋根の軒先に取付けられる、溝状の樋を取付けると、該樋の側壁が屋根の上面から立ち上がってしまうので、屋根に降った雨水を集めることが困難となる。
【０００５】
そこで、先に本出願人は、パラペットと屋根の軒先との交差部に樋を形成する技術について特許出願を行った(特願平９−１８８５３１号)。
この技術について、図２を参照して簡単に説明する。図２において、符号１はパラペット、符号２は屋根を示す。前記パラペット１は外壁３の上端部から立ち上げた壁であり、その上端部には笠木４が取付けられている。前記屋根２は勾配屋根であり、その先端部(軒先部)の上面には、断面三角形状の長尺な結合桁５が固定されている。この結合桁５と対向するパラペット１の内側の表面には桟材６が固定されており、この桟材６と結合桁５との間には、合板から架設板７が架け渡され、該架設板７の幅方向両端部はそれぞれ前記桟材６と結合桁５の上面に固定されている。
【０００６】
前記架設板７より上方の、前記パラペット１の内側の表面、前記架設板７の上面、および前記屋根２の屋根本体８の先端部上面には、防水シート９がパラペット１の内側の表面から架設板７の上面を通って前記屋根本体８の先端部上面まで連続するようにして敷設されており、該防水シート９の端部は屋根本体８の上面に設けられた屋根材１０の下側に挿入されている。
【０００７】
さらに、前記パラペット１の内側の表面、前記架設板７の上面、および前記屋根２の屋根本体８の先端部上面には、それぞれ防水性を有するボード１１が前記防水シート９の上から取付けられている。そして、これらボード１１…によって形成された溝部が樋１３とされている。なお、前記屋根本体８の先端部上面に取付けられたボード１１の端部上面には、水切り板１２の先端部が当接されており、この水切り板１２の基端部は前記屋根材１０の下側に挿入されている。
【０００８】
【発明が解決しようとする課題】
ところで、上記樋１３は、上述したように、パラペット１と屋根２の軒先との間、つまりパラペット１と屋根２との交差部に架設板７を取付けたうえで、パラペット１の内側の表面、架設板７の上面、および前記屋根２の屋根本体８の先端部上面に、それぞれ防水性を有するボード１１を前記防水シート９の上から取付けることで形成されるので、つまり、樋１３は、現場で作製しつつ設置されるものであるので、その作業に非常に手間がかかるという問題があった。
【０００９】
本発明は上記事情に鑑みてなされたもので、パラペットと傾斜する屋根との交差部に、樋を容易かつ確実に設置することができる樋の設置構造を提供することを目的としている。
【００１０】
【課題を解決するための手段】
上記目的を達成するために、本発明の請求項１の樋の設置構造は、例えば図１に示すように、傾斜する屋根２２の先端から離れた外壁２３の上端部から立ち上がって鉛直に設けられたパラペット２１と前記屋根２２との交差部に、樋４０を設置する樋の設置構造であって、前記交差部であって前記屋根２２の先端と前記外壁２３の間の隙間の上には、予め横断面略コ字状に形成された樋４０がその開口を上方に向けて設けられ、この樋４０の屋根側における縁部と、前記屋根２２の上面との間には、屋根２２の上面に降った雨水を樋４０に流す流し板４１が、樋４０側に向けて下方に傾斜して設けられ、前記流し板４１の基端部が屋根２２の屋根材３４の裏面側に挿入され、前記流し板４１の先端部には、樋４０の開口縁部から下方に向けて垂下する水切り部４２が形成され、前記パラペット２１の内側の表面には、樋４０の開口縁部まで延出する水切り４５が固定され、前記パラペット２１の上端に笠木２４が取り付けられ、前記パラペット２１側における前記水切り４５の端部が前記笠木２４の内側に挿入され、反対側の端部が前記樋４０の開口縁部まで延出され、前記パラペット２１と前記屋根２２との交差部には、支持金具３６が前記樋４０の長手方向に所定間隔をおいて配置され、前記支持金具３６の一端部はパラペット２１に固定され、前記支持金具３６の他端部は屋根２２の上面に固定され、該支持金具３６によって前記樋４０が下方から支持され、前記流し板が前記支持金具の他端部を上から覆っているものである。
【００１１】
前記樋４０は、例えば、金属製の帯板を断面コ字状に折曲することにより形成されたもので、その幅および深さは、パラペット２１と屋根２２との交差部に形成された凹部３５の幅および深さに応じて適宜設定される。
前記流し板４１は、金属製の帯板で形成されたもので、その先端部は樋４０の内側まで延出される。
【００１２】
請求項１の樋の設置構造においては、パラペット２１と屋根２２との交差部に、予め横断面略コ字状に形成された樋４０を設けることによって、従来と異なり、樋を現場で作製しつつ設置する必要がない。また、この樋４０の屋根側における縁部と、前記屋根２２の上面との間に、屋根２２の上面に降った雨水を樋４０に流す流し板４１を、樋側に向けて下方に傾斜して設けることで、屋根２２に降った雨水は確実に樋４０内に流入する。
したがって、パラペット２１と傾斜する屋根２２との交差部に、屋根に降った雨水が確実に流れ込む樋４０を容易かつ確実に設置することができる。
【００１３】
また、パラペット２１の内側の側面に、樋４０の開口縁部まで延出する水切り４５を固定したので、パラペット２１上に降って該パラペット２１の内側の表面を流れる雨水は、該パラペット２１と樋４０との間に侵入することなく、水切り４５から樋４０内に確実に流入する。
【００１６】
前記支持金具３６は、金属製の帯板を折曲することにより形成されたもので、樋４０の下方に位置する部分は、樋４０の外形に沿って折曲形成される。また、前記支持金具３６は、必ずしも樋４０の長手方向に延在するものである必要はなく、例えば、樋４０の長手方向に所定間隔で配置すればよい。
【００１７】
支持金具３６は、その一端部をパラペット２１に固定し、他端部を屋根２２の上面に固定することで、前記交差部に固定されるので、前記樋４０は支持金具３６によって、前記交差部に確実に固定される。また、樋４０は支持金具３６によって下方から支持されるので、樋４０の撓みが防止される。
【００１９】
流し板４１の基端部を屋根材３４の裏面側に挿入したので、屋根材３４上に降った雨水が流し板４１の下側に回り込むことがなく、よって雨水が流し板４１上を流れて確実に樋４０内に流入する。
【００２１】
流し板４１の先端部に、樋４０の開口縁部から下方に向けて垂下する水切り部４２を形成したので、流し板４１上を流れる雨水は樋４０の外面側に回り込むことなく、水切り部４１から樋４０内に確実に流入する。
【００２２】
請求項２の樋の設置構造は、請求項１において、前記屋根３２の先端と前記外壁２３の間の隙間の上に、前記屋根２３の先端部上面から前記樋４０の下方を通って前記パラペット２１の内側の表面に至る不燃材３９を設けたものである。
【００２４】
【発明の実施の形態】
以下、図１を参照して本発明の実施の形態の一例について説明する。
図１は、本発明の樋の設置構造の一例を示す側断面であり、この図において符号２１はパラペット、符号２２は屋根を示す。パラペット２１は外壁２３の上端部から立ち上げた壁であり、その上端部には笠木２４が取付けられるようになっている。また、前記パラペット２１は、複数の壁パネル２５を水平方向に連結するとともに、これら複数の壁パネル２５上に頭つなぎ材２６を固定することで構成されており、該壁パネル２５の外側の表面には、サイディング(外壁材)２７が取付けられている。なお、前記壁パネル２５は、桟材２５ａを矩形枠状に組むとともに、該枠体の表裏両面に合板等からなる面材２５ｂ,２５ｂを貼設したものである。
【００２５】
前記外壁２３は、パラペット２１と同様に壁パネル２８で構成されたものであり、その外側の表面には前記サイディング２７が取付けられ、該壁パネル２８の上端面には補強梁３０が設けられている。なお、サイディング２７は壁パネル２５,２８に胴縁２９を介して取付けられており、これによって、サイディング２７と壁パネル２５,２８との間には、通気用の隙間が形成されている。
【００２６】
前記屋根２２は、屋根パネル３２と、該屋根パネル３２の上面に防水性を有するルーフィング３３を介して敷設された屋根材３４とから構成されており、該屋根材３４は、屋根パネル３２の先端から所定の間隔をあけた位置から棟側に向けて敷設されている。屋根パネル３２は、桟材３２ａを矩形枠状に組み、この枠体の上面に合板等からなる面材３２ｂを貼設したものである。
【００２７】
前記パラペット２１と屋根２２との交差部には谷状の凹部３５が形成されており、この凹部３５には支持金具３６が配設されている。この支持金具３６は金属製の帯板を折曲することによって形成されたもので、凹状をなす支持金具本体３６ａと、この支持金具本体３６ａの右上縁部から水平に延出され、その先端で屋根パネル３２側に向けて折曲され、さらに、その先端で屋根パネル３２の上面に当接するように折曲されてなる取付部３６ｂとから構成されている。
前記支持金具本体３６ａは、後述する樋４０の外形に沿って形成されたもので、その左右の上縁部は、水平段部３６ｃ,３６ｃが形成されている。
【００２８】
そして、上記構成の支持金具３６は、その左上縁部を釘３７によって前記壁パネル２５の内側の表面に固定するとともに、取付部３６ｂの先端部を釘３８によって屋根パネル３２の上面に固定することによって、前記凹部３５に固定されている。また、前記支持金具３６は、樋４０の長手方向(図１において紙面と直交する方向)に所定間隔で固定されている。
なお、前記支持金具３６の下側には、屋根パネル３２の先端部上面から支持金具本体３６ａの下方を通って、前記壁パネル２５の内側の上端部側面に至る不燃材３９が設けられている。
【００２９】
上記のようにして、凹部３５に固定された支持金具３６には樋４０が支持されている。この樋４０は、金属製の帯板を断面コ字状に折曲することにより形成された長尺なもので、その左右の上縁部には凸条４０ａ,４０ａが形成されている。そして、該樋４０はその開口を上方に向けた状態で、前記支持金具３６の支持金具本体３６ａに上方から挿入され、該支持金具本体３６の水平段部３６ｃ,３６ｃに、樋４０の凸条４０ａ,４０ａを当接するとともに、支持金具本体３６ｃの底部に樋４０の底部を当接することで、支持金具３６によって支持されている。
【００３０】
また、前記樋４０の屋根側における上縁部と、屋根パネル３２の上面との間には、流し板４１が樋側に向けて下方に傾斜して設けられている。この流し板４１は、屋根２２の上面に降った雨水を樋４０に流し込むためのもので、金属製の帯板によって形成されている。また、前記流し板４１の先端部は、樋４０の内側まで延出されており、その先端部には、樋４０の開口縁部から下方に向けて垂下する水切り部４２が形成されている。このように水切り部４２を形成することによって、流し板上４１を流れる雨水は樋４０の外面側に回り込むことなく、よって水切り部４２から樋４０内に確実に流入する。
さらに、前記流し板４１の基端部は、屋根２２の屋根材３４の裏面側でかつルーフィング３３の裏面側に挿入されている。したがって、屋根２２上に降った雨水は流し板４１の下側に回り込むことがなく、流し板４１上を流れて確実に樋４０内に流入する。
【００３１】
また、前記パラペット２１の内側の表面には水切り４５が固定されている。この水切り４５の上端部は前記笠木２４の内側に挿入され、下端部は樋４０の開口縁部まで延出されている。したがって、パラペット上２１に降って該パラペットの内側の表面を流れる雨水は、該パラペット２１と樋４０との間に侵入することなく、水切り４５から樋４０内に確実に流入する。
【００３２】
上記のような樋の設置構造では、パラペット２１と屋根２２との交差部に、予め横断面略コ字状に形成された樋４０を設けることによって、従来と異なり、樋を現場で作製しつつ設置する必要がない。また、この樋４０の屋根側における縁部と、屋根２２の上面との間に流し板４１を、樋側に向けて下方に傾斜して設けたので、屋根２２に降った雨水は確実に樋４０内に流入する。
したがって、パラペット２１と屋根２２との交差部に、屋根２２に降った雨水が確実に流れ込む樋４０を容易かつ確実に設置することができる。
また、支持金具３６が、その一端部をパラペット２１に固定し、他端部を屋根パネル３２の上面に固定することで、前記交差部に固定されるので、前記樋４０を支持金具３６によって、前記交差部に確実に固定することができる。また、樋４０は支持金具３６によって下方から支持されるので、樋４０の撓みを防止することができる。
【００３３】
次に、前記樋４０をパラペット２１と屋根２２との交差部に設置する方法について説明する。
すなわち、まず前記支持金具３６を前記交差部に形成された凹部３５に固定する。この固定は、支持金具本体３６ａの左上縁部を釘３７によって前記壁パネル２５の内側の表面に固定するとともに、取付部３６ｂの先端部を釘３８によって屋根パネル３２の上面に固定することによって行う。また、該支持金具３６は設置すべき樋４０の長手方向に所定間隔で配置して固定する。
【００３４】
次いで、前記支持金具３６に樋４０を取付ける。この取付けは、樋４０をその開口を上方に向けた状態で、支持金具本体３６ａに上方から挿入し、該支持金具本体３６の水平段部３６ｃ,３６ｃに、樋４０の凸条４０ａ,４０ａを当接するとともに、支持金具本体３６ｃの底部に樋４０の底部を当接することで行い。これによって樋４０は支持金具３６によって下方から支持される。
【００３５】
次いで、前記水切り４５をパラペット２１の内側の表面に固定した後、前記流し板４１を取付ける。この流し板４１の取付けは、その先端部の水切り部４２を樋４０の開口縁部から樋４０内に差し込むとともに、該流し板４１が樋側に向けて下方に傾斜するようにして配置したうえで、釘４６を支持金具３６の取付部３６ｂに打ち込むことで行う。
【００３６】
最後に、屋根パネル３２の上面にルーフィング３３を敷設するとともに、該ルーフィング３３の先端部を前記流し板４１の基端部上に被せ、さらに、ルーフィング３３上に屋根材３４を敷設する。これによって、流し板４１の基端部は屋根材３４の裏面側に挿入された状態となる。
【００３７】
上記のように、パラペット２１と屋根２２の交差部に支持金具３６を取付固定した後、樋４０を該支持金具３６上に取付けることで、該樋４０を前記交差部に容易に設置することができる。
そして、設置された樋４０の屋根側における縁部と、屋根２２の上面との間に、流し板４１を樋側に向けて下方に傾斜して取付けることで、樋４０内に雨水を確実に流入させることができる。
【００３８】
【発明の効果】
以上説明したように、本発明の請求項１の樋の設置構造によれば、パラペットと屋根との交差部に、予め横断面略コ字状に形成された樋をその開口を上方に向けて設け、この樋の屋根側における縁部と屋根の上面との間に、流し板を樋側に向けて下方に傾斜して設けたので、従来と異なり、樋を現場で作製しつつ設置する必要がない。したがって、パラペットと傾斜する屋根との交差部に、屋根に降った雨水が確実に流れ込む樋を容易かつ確実に設置することができる。
また、前記パラペットの内側の表面に、樋の開口縁部まで延出する水切りを固定したので、パラペット上に降って該パラペットの内側の表面を流れる雨水が、該パラペットと樋との間に侵入することなく、よって雨水を水切りから樋内に確実に流入させることができる。
【００３９】
また、前記パラペットと屋根との交差部に支持金具を配設し、この支持金具の一端部をパラペットに固定し他端部を屋根の上面に固定し、該支持金具によって前記樋を下方から支持したので、該支持金具によって樋を交差部に確実に固定することができる。また、樋は支持金具によって下方から支持されるので、樋の撓みを防止することができる。
【００４０】
また、前記流し板の基端部を、屋根の屋根材の裏面側に挿入したので、屋根材上に降った雨水が流し板の下側に回り込むことがなく、よって雨水を流し板上を流して確実に樋内に流入させることができる。
【００４１】
また、前記流し板の先端部に、樋の開口縁部から下方に向けて垂下する水切り部を形成したので、流し板上を流れる雨水が樋の外面側に回り込むことなく、よって雨水を水切り部から樋内に確実に流入させることができる。
【図面の簡単な説明】
【図１】本発明の樋の設置構造の一例を示す側断面図である。
【図２】従来の樋の設置構造の一例を示す側断面図である。
【符号の説明】
２１  パラペット
２２  屋根
３４  屋根材
３６  支持金具
４０  樋
４１  流し板
４２  水切り部
４５  水切り
【図１】
0004090586.tif 000002
【図２】
0004090586.tif 000003